【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
ワイヤレス信号を介した送信のためのパケットを生成するように構成されるプロセッサと、ここにおいて、前記パケットは、少なくとも１つの直交周波数分割多重（ＯＦＤＭ）シンボルを使用した１ＭＨｚの帯域幅上での送信のために生成される、
電力スペクトル密度を有する前記ワイヤレス信号を介して前記パケットを送信するように構成される送信機と
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
装置。
【請求項２】
前記プロセッサは、第２のワイヤレス信号を介した送信のための第２のパケットを生成するようにさらに構成され、前記第２のパケットは、少なくとも１つのＯＦＤＭシンボルを使用した２ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±０．９ＭＨｚ内の前記第２の電力スペクトル密度は、第２の電力スペクトル密度レベルにあり、
前記第２のワイヤレス信号の前記第２の中心周波数から０．９ＭＨｚと１．１ＭＨｚとの間および前記第２のワイヤレス信号の前記第２の中心周波数から−０．９ＭＨｚと−１．１ＭＨｚとの間の前記第２の電力スペクトル密度は、前記第２の電力スペクトル密度レベル未満であり、
前記第２のワイヤレス信号の前記第２の中心周波数から１．１ＭＨｚと２ＭＨｚとの間および前記第２のワイヤレス信号の前記第２の中心周波数から−１．１ＭＨｚと−２ＭＨｚとの間の前記第２の電力スペクトル密度は、前記第２の電力スペクトル密度レベルに対して−２０ｄＢｒ未満であり、
前記第２のワイヤレス信号の前記第２の中心周波数から２ＭＨｚと３ＭＨｚとの間および前記第２のワイヤレス信号の前記第２の中心周波数から−２ＭＨｚと−３ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±３ＭＨｚよりも大きい前記第２の電力スペクトル密度は、前記第２の電力スペクトル密度レベルに対して−４０ｄＢｒ未満である、
請求項１に記載の装置。
【請求項３】
前記プロセッサは、第２のワイヤレス信号を介した送信のための第２のパケットを生成するようにさらに構成され、前記第２のパケットは、少なくとも１つのＯＦＤＭシンボルを使用した４ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±１．９ＭＨｚ内の前記第２の電力スペクトル密度は、第２の電力スペクトル密度レベルにあり、
前記第２のワイヤレス信号の前記第２の中心周波数から１．９ＭＨｚと２．１ＭＨｚとの間および前記第２のワイヤレス信号の前記第２の中心周波数から−１．９ＭＨｚと−２．１ＭＨｚとの間の前記第２の電力スペクトル密度は、前記第２の電力スペクトル密度レベル未満であり、
前記第２のワイヤレス信号の前記第２の中心周波数から２．１ＭＨｚと４ＭＨｚとの間および前記第２のワイヤレス信号の前記第２の中心周波数から−２．１ＭＨｚと−４ＭＨｚとの間の前記第２の電力スペクトル密度は、前記第２の電力スペクトル密度レベルに対して−２０ｄＢｒ未満であり、
前記第２のワイヤレス信号の前記第２の中心周波数から４ＭＨｚと６ＭＨｚとの間および前記第２のワイヤレス信号の前記第２の中心周波数から−４ＭＨｚと−６ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±６ＭＨｚよりも大きい前記第２の電力スペクトル密度は、前記第２の電力スペクトル密度レベルに対して−４０ｄＢｒ未満である、
請求項１に記載の装置。
【請求項４】
前記プロセッサは、第２のワイヤレス信号を介した送信のための第２のパケットを生成するようにさらに構成され、前記第２のパケットは、少なくとも１つのＯＦＤＭシンボルを使用した８ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±３．９ＭＨｚ内の前記第２の電力スペクトル密度は、第２の電力スペクトル密度レベルにあり、
前記第２のワイヤレス信号の前記第２の中心周波数から３．９ＭＨｚと４．１ＭＨｚとの間および前記第２のワイヤレス信号の前記第２の中心周波数から−３．９ＭＨｚと−４．１ＭＨｚとの間の前記第２の電力スペクトル密度は、前記第２の電力スペクトル密度レベル未満であり、
前記第２のワイヤレス信号の前記第２の中心周波数から４．１ＭＨｚと８ＭＨｚとの間および前記第２のワイヤレス信号の前記第２の中心周波数から−４．１ＭＨｚと−８ＭＨｚとの間の前記第２の電力スペクトル密度は、前記第２の電力スペクトル密度レベルに対して−２０ｄＢｒ未満であり、
前記第２のワイヤレス信号の前記第２の中心周波数から８ＭＨｚと１２ＭＨｚとの間および前記第２のワイヤレス信号の前記第２の中心周波数から−８ＭＨｚと−１２ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±１２ＭＨｚよりも大きい前記第２の電力スペクトル密度は、前記第２の電力スペクトル密度レベルに対して−４０ｄＢｒ未満である、
請求項１に記載の装置。
【請求項５】
前記プロセッサは、第２のワイヤレス信号を介した送信のための第２のパケットを生成するようにさらに構成され、前記第２のパケットは、少なくとも１つのＯＦＤＭシンボルを使用した１６ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±７．９ＭＨｚ内の前記第２の電力スペクトル密度は、第２の電力スペクトル密度レベルにあり、
前記第２のワイヤレス信号の前記第２の中心周波数から７．９ＭＨｚと８．１ＭＨｚとの間および前記第２のワイヤレス信号の前記第２の中心周波数から−７．９ＭＨｚと−８．１ＭＨｚとの間の前記第２の電力スペクトル密度は、前記第２の電力スペクトル密度レベル未満であり、
前記第２のワイヤレス信号の前記第２の中心周波数から８．１ＭＨｚと１６ＭＨｚとの間および前記第２のワイヤレス信号の前記第２の中心周波数から−８．１ＭＨｚと−１６ＭＨｚとの間の前記第２の電力スペクトル密度は、前記第２の電力スペクトル密度レベルに対して−２０ｄＢｒ未満であり、
前記第２のワイヤレス信号の前記第２の中心周波数から１６ＭＨｚと２４ＭＨｚとの間および前記第２のワイヤレス信号の前記第２の中心周波数から−１６ＭＨｚと−２４ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±２４ＭＨｚよりも大きい前記第２の電力スペクトル密度は、前記第２の電力スペクトル密度レベルに対して−４０ｄＢｒ未満である、
請求項１に記載の装置。
【請求項６】
前記ＯＦＤＭシンボルは、３２個のサブキャリアを備え、２４個のサブキャリアは、データのために使用される、
請求項１に記載の装置。
【請求項７】
前記送信機は、１０ｋＨｚ解像度帯域幅と３ｋＨｚビデオ帯域幅とを使用して前記電力スペクトル密度を判断するための測定を行うように構成される、
請求項１に記載の装置。
【請求項８】
前記ワイヤレス信号の前記中心周波数から±１．５ＭＨｚよりも大きい前記電力スペクトル密度は、前記第１の電力スペクトル密度レベルに対して−４０ｄＢｍ／ＭＨｚの減衰と最大−４０ｄＢｒとを有する、
請求項１に記載の装置。
【請求項９】
前記第２のワイヤレス信号の前記第２の中心周波数から±３ＭＨｚよりも大きい前記電力スペクトル密度が、前記第２の電力スペクトル密度レベルに対して−４３ｄＢｍ／ＭＨｚの減衰と最大−４０ｄＢｒとを有する、
請求項２に記載の装置。
【請求項１０】
前記第２のワイヤレス信号の前記第２の中心周波数から±６ＭＨｚよりも大きい前記電力スペクトル密度は、前記第２の電力スペクトル密度レベルに対して−４６ｄＢｍ／ＭＨｚの減衰と最大−４０ｄＢｒとを有する、
請求項３に記載の装置。
【請求項１１】
前記第２のワイヤレス信号の前記第２の中心周波数から±１２ＭＨｚよりも大きい前記電力スペクトル密度は、前記第２の電力スペクトル密度レベルに対して−４９ｄＢｍ／ＭＨｚの減衰と最大−４０ｄＢｒとを有する、
請求項４に記載の装置。
【請求項１２】
前記第２のワイヤレス信号の前記第２の中心周波数から±２４ＭＨｚよりも大きい前記電力スペクトル密度は、前記第２の電力スペクトル密度レベルに対して−４９ｄＢｍ／ＭＨｚの減衰と最大−４０ｄＢｒとを有する、
請求項５に記載の装置。
【請求項１３】
ワイヤレス通信のための方法であって、
少なくとも１つの直交周波数分割多重（ＯＦＤＭ）シンボルを使用した１ＭＨｚの帯域幅上でのワイヤレス信号を介した送信のためのパケットを生成することと、
電力スペクトル密度を有する前記ワイヤレス信号を介して前記パケットを送信することと
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
方法。
【請求項１４】
少なくとも１つの直交周波数分割多重（ＯＦＤＭ）シンボルを使用した１ＭＨｚの帯域幅上でのワイヤレス信号を介した送信のためのパケットを生成するための手段と、
電力スペクトル密度を有する前記ワイヤレス信号を介して前記パケットを送信するための手段と
をさらに備え
前記ワイヤレス信号の中心周波数の±０．４５ＭＨｚ内の前記電力スペクトル密度が第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度が前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度が前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度が前記第１の電力スペクトル密度レベルに対して−２８ｄＢｒ未満であり、
前記ワイヤレス信号の前記中心周波数から±１．５ＭＨｚよりも大きい前記電力スペクトル密度が前記第１の電力スペクトル密度レベルに対して−４０ｄＢｒ未満である、
請求項１に記載の装置。
【請求項１５】
少なくとも１つの直交周波数分割多重（ＯＦＤＭ）シンボルを使用した１ＭＨｚの帯域幅上でのワイヤレス信号を介した送信のためのパケットを生成するためのコードと、
電力スペクトル密度を有する前記ワイヤレス信号を介して前記パケットを送信するためのコードと
を備える、コンピュータ可読媒体を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
コンピュータプログラム製品。
【手続補正２】
【補正対象書類名】明細書
【補正対象項目名】０１４４
【補正方法】変更
【補正の内容】
【０１４４】
[00166]上記は本開示の態様を対象とするが、本開示の他の態様およびさらなる態様は、それの基本的範囲から逸脱することなく考案され得、それの範囲は以下の特許請求の範囲によって判断される。
以下に、本願出願の当初の特許請求の範囲に記載された発明を付記する。
［Ｃ１］
ワイヤレス通信のための装置であって、
ワイヤレス信号を介した送信のためのパケットを生成するように構成されるプロセッサと、ここにおいて、前記パケットは、少なくとも１つの直交周波数分割多重（ＯＦＤＭ）シンボルを使用した１ＭＨｚの帯域幅上での送信のために生成される、
電力スペクトル密度を有する前記ワイヤレス信号を介して前記パケットを送信するように構成される送信機と
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
装置。
［Ｃ２］
前記プロセッサは、第２のワイヤレス信号を介した送信のための第２のパケットを生成するようにさらに構成され、前記第２のパケットは、少なくとも１つのＯＦＤＭシンボルを使用した２ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±０．９ＭＨｚ内の前記第２の電力スペクトル密度は、第２の電力スペクトル密度レベルにあり、
前記第２のワイヤレス信号の前記第２の中心周波数から０．９ＭＨｚと１．１ＭＨｚとの間および前記第２のワイヤレス信号の前記第２の中心周波数から−０．９ＭＨｚと−１．１ＭＨｚとの間の前記第２の電力スペクトル密度は、前記第２の電力スペクトル密度レベル未満であり、
前記第２のワイヤレス信号の前記第２の中心周波数から１．１ＭＨｚと２ＭＨｚとの間および前記第２のワイヤレス信号の前記第２の中心周波数から−１．１ＭＨｚと−２ＭＨｚとの間の前記第２の電力スペクトル密度は、前記第２の電力スペクトル密度レベルに対して−２０ｄＢｒ未満であり、
前記第２のワイヤレス信号の前記第２の中心周波数から２ＭＨｚと３ＭＨｚとの間および前記第２のワイヤレス信号の前記第２の中心周波数から−２ＭＨｚと−３ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±３ＭＨｚよりも大きい前記第２の電力スペクトル密度は、前記第２の電力スペクトル密度レベルに対して−４０ｄＢｒ未満である、
［Ｃ１］に記載の装置。
［Ｃ３］
前記プロセッサは、第２のワイヤレス信号を介した送信のための第２のパケットを生成するようにさらに構成され、前記第２のパケットは、少なくとも１つのＯＦＤＭシンボルを使用した４ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±１．９ＭＨｚ内の前記第２の電力スペクトル密度は、第２の電力スペクトル密度レベルにあり、
前記第２のワイヤレス信号の前記第２の中心周波数から１．９ＭＨｚと２．１ＭＨｚとの間および前記第２のワイヤレス信号の前記第２の中心周波数から−１．９ＭＨｚと−２．１ＭＨｚとの間の前記第２の電力スペクトル密度は、前記第２の電力スペクトル密度レベル未満であり、
前記第２のワイヤレス信号の前記第２の中心周波数から２．１ＭＨｚと４ＭＨｚとの間および前記第２のワイヤレス信号の前記第２の中心周波数から−２．１ＭＨｚと−４ＭＨｚとの間の前記第２の電力スペクトル密度は、前記第２の電力スペクトル密度レベルに対して−２０ｄＢｒ未満であり、
前記第２のワイヤレス信号の前記第２の中心周波数から４ＭＨｚと６ＭＨｚとの間および前記第２のワイヤレス信号の前記第２の中心周波数から−４ＭＨｚと−６ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±６ＭＨｚよりも大きい前記第２の電力スペクトル密度は、前記第２の電力スペクトル密度レベルに対して−４０ｄＢｒ未満である、
［Ｃ１］に記載の装置。
［Ｃ４］
前記プロセッサは、第２のワイヤレス信号を介した送信のための第２のパケットを生成するようにさらに構成され、前記第２のパケットは、少なくとも１つのＯＦＤＭシンボルを使用した８ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±３．９ＭＨｚ内の前記第２の電力スペクトル密度は、第２の電力スペクトル密度レベルにあり、
前記第２のワイヤレス信号の前記第２の中心周波数から３．９ＭＨｚと４．１ＭＨｚとの間および前記第２のワイヤレス信号の前記第２の中心周波数から−３．９ＭＨｚと−４．１ＭＨｚとの間の前記第２の電力スペクトル密度は、前記第２の電力スペクトル密度レベル未満であり、
前記第２のワイヤレス信号の前記第２の中心周波数から４．１ＭＨｚと８ＭＨｚとの間および前記第２のワイヤレス信号の前記第２の中心周波数から−４．１ＭＨｚと−８ＭＨｚとの間の前記第２の電力スペクトル密度は、前記第２の電力スペクトル密度レベルに対して−２０ｄＢｒ未満であり、
前記第２のワイヤレス信号の前記第２の中心周波数から８ＭＨｚと１２ＭＨｚとの間および前記第２のワイヤレス信号の前記第２の中心周波数から−８ＭＨｚと−１２ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±１２ＭＨｚよりも大きい前記第２の電力スペクトル密度は、前記第２の電力スペクトル密度レベルに対して−４０ｄＢｒ未満である、
［Ｃ１］に記載の装置。
［Ｃ５］
前記プロセッサは、第２のワイヤレス信号を介した送信のための第２のパケットを生成するようにさらに構成され、前記第２のパケットは、少なくとも１つのＯＦＤＭシンボルを使用した１６ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±７．９ＭＨｚ内の前記第２の電力スペクトル密度は、第２の電力スペクトル密度レベルにあり、
前記第２のワイヤレス信号の前記第２の中心周波数から７．９ＭＨｚと８．１ＭＨｚとの間および前記第２のワイヤレス信号の前記第２の中心周波数から−７．９ＭＨｚと−８．１ＭＨｚとの間の前記第２の電力スペクトル密度は、前記第２の電力スペクトル密度レベル未満であり、
前記第２のワイヤレス信号の前記第２の中心周波数から８．１ＭＨｚと１６ＭＨｚとの間および前記第２のワイヤレス信号の前記第２の中心周波数から−８．１ＭＨｚと−１６ＭＨｚとの間の前記第２の電力スペクトル密度は、前記第２の電力スペクトル密度レベルに対して−２０ｄＢｒ未満であり、
前記第２のワイヤレス信号の前記第２の中心周波数から１６ＭＨｚと２４ＭＨｚとの間および前記第２のワイヤレス信号の前記第２の中心周波数から−１６ＭＨｚと−２４ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±２４ＭＨｚよりも大きい前記第２の電力スペクトル密度は、前記第２の電力スペクトル密度レベルに対して−４０ｄＢｒ未満である、
［Ｃ１］に記載の装置。
［Ｃ６］
前記ＯＦＤＭシンボルは、３２個のサブキャリアを備え、２４個のサブキャリアは、データのために使用される、
［Ｃ１］に記載の装置。
［Ｃ７］
前記送信機は、１０ｋＨｚ解像度帯域幅と３ｋＨｚビデオ帯域幅とを使用して前記電力スペクトル密度を判断するための測定を行うように構成される、
［Ｃ１］に記載の装置。
［Ｃ８］
前記ワイヤレス信号の前記中心周波数から±１．５ＭＨｚよりも大きい前記電力スペクトル密度は、前記第１の電力スペクトル密度レベルと−４０ｄＢ／ＭＨｚとに対して最大−４０ｄＢｒにある、
［Ｃ１］に記載の装置。
［Ｃ９］
前記第２のワイヤレス信号の前記第２の中心周波数から±３ＭＨｚよりも大きい前記電力スペクトル密度が、前記第２の電力スペクトル密度レベルと−４３ｄＢ／ＭＨｚとに対して最大−４０ｄＢｒにある、
［Ｃ２］に記載の装置。
［Ｃ１０］
前記第２のワイヤレス信号の前記第２の中心周波数から±６ＭＨｚよりも大きい前記電力スペクトル密度は、前記第２の電力スペクトル密度レベルと−４６ｄＢ／ＭＨｚとに対して最大−４０ｄＢｒにある、
［Ｃ３］に記載の装置。
［Ｃ１１］
前記第２のワイヤレス信号の前記第２の中心周波数から±１２ＭＨｚよりも大きい前記電力スペクトル密度は、前記第２の電力スペクトル密度レベルと−４９ｄＢ／ＭＨｚとに対して最大−４０ｄＢｒにある、
［Ｃ４］に記載の装置。
［Ｃ１２］
前記第２のワイヤレス信号の前記第２の中心周波数から±２４ＭＨｚよりも大きい前記電力スペクトル密度は、前記第２の電力スペクトル密度レベルと−４９ｄＢ／ＭＨｚとに対して最大−４０ｄＢｒにある、
［Ｃ５］に記載の装置。
［Ｃ１３］
ワイヤレス通信のための方法であって、
少なくとも１つの直交周波数分割多重（ＯＦＤＭ）シンボルを使用した１ＭＨｚの帯域幅上でのワイヤレス信号を介した送信のためのパケットを生成することと、
電力スペクトル密度を有する前記ワイヤレス信号を介して前記パケットを送信することと
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
方法。
［Ｃ１４］
ワイヤレス通信のための装置であって
少なくとも１つの直交周波数分割多重（ＯＦＤＭ）シンボルを使用した１ＭＨｚの帯域幅上でのワイヤレス信号を介した送信のためのパケットを生成するための手段と、
電力スペクトル密度を有する前記ワイヤレス信号を介して前記パケットを送信するための手段と
を備え
前記ワイヤレス信号の中心周波数の±０．４５ＭＨｚ内の前記電力スペクトル密度が第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度が前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度が前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度が前記第１の電力スペクトル密度レベルに対して−２８ｄＢｒ未満であり、
前記ワイヤレス信号の前記中心周波数から±１．５ＭＨｚよりも大きい前記電力スペクトル密度が前記第１の電力スペクトル密度レベルに対して−４０ｄＢｒ未満である、
装置。
［Ｃ１５］
少なくとも１つの直交周波数分割多重（ＯＦＤＭ）シンボルを使用した１ＭＨｚの帯域幅上でのワイヤレス信号を介した送信のためのパケットを生成するためのコードと、
電力スペクトル密度を有する前記ワイヤレス信号を介して前記パケットを送信するためのコードと
を備える、コンピュータ可読媒体を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
コンピュータプログラム製品。